(57)【要約】【課題】  サージアブソーバを大型化することなく大きなサージ電圧に対処でき故障し難い漏電遮断器を提供する。【解決手段】  単相３線から成る電路Ｌ１の２本の電圧線Ｘ，Ｙ間に引き外しコイル４とサイリスタ７の直列回路が接続され、電路Ｌ１に設けた零相変流器１により漏電が検出されたら、サイリスタ７がオンして引き外しコイル４が引き外し動作して電路Ｌ１に設けた接点２が開動作する漏電遮断器であり、引き外しコイル４とサイリスタ７の直列回路には、回路を保護するための電圧制限手段８が並列に接続され、この電圧制限手段８が直列接続された２個のサージアブソーバ８ａ，８ｂであると共に、サイリスタ７には第３サージアブソーバ９が並列接続されている。【選択図】  図１
2017091811.tif 000002
【特許請求の範囲】
【請求項１】
単相３線から成る電路の２本の電圧線間に引き外しコイルとサイリスタの直列回路が接続され、前記電路に設けた零相変流器により漏電が検出されたら、前記サイリスタがオンして前記引き外しコイルが引き外し動作して前記電路に設けた接点が開動作して電源から遮断する漏電遮断器において、
前記引き外しコイルと前記サイリスタの直列回路には、回路を保護するための電圧制限手段が並列に接続されて成り、
前記電圧制限手段が、直列接続された２個のサージアブソーバであると共に、
前記サイリスタには別途サージアブソーバが並列に接続されて成ることを特徴とする漏電遮断器。
【請求項２】
中性線の欠相が発生したら前記引き外しコイルを引き外し動作させる中性線欠相保護回路を有し、
中性線欠相保護回路を機能させるための端子が、直列接続された前記２個のサージアブソーバの中間点に接続されてなることを特徴とする請求項１記載の漏電遮断器。
【発明の詳細な説明】
【技術分野】
【０００１】
本発明は、漏電遮断器に関し、特に単相３線式電路に設置されて大きなサージ電圧が印加されても故障し難い漏電遮断器に関する。
【背景技術】
【０００２】
単相３線式電路に使用される従来の漏電遮断器は、例えば図２に示すように構成されている。図２に示すように、電路Ｌ２に零相変流器２１が設けられ、その電源側に電路を開放する接点２２が設けられている。また、ＩＣ化された漏電検出回路２３を有し、接点２２を開放操作する引き外しコイル２４、引き外しコイル２４を引き外し動作させるサイリスタ２５、回路を雷等により発生するサージ電圧から保護するサージアブソーバ２６等を備え、漏電検出回路２３が零相変流器２１の情報を基に、漏電が発生したらサイリスタ２５をオンさせて接点２２を開放した。
そして図２に示すように、引き外しコイル２４と直列に接続されたサイリスタ２５に対して並列、即ち電圧線間にサージアブソーバ２６を接続することによって、雷などの外来サージ電圧を制限し、サイリスタ２５のブレーク電圧を超えないようにして不要動作を防ぐと共に回路を保護していた（例えば、特許文献１参照）。
【先行技術文献】
【特許文献】
【０００３】
【特許文献１】特開２００１−３１４０３１号公報
【発明の概要】
【発明が解決しようとする課題】
【０００４】
しかしながら、上記従来の構成の場合、大きなサージ電圧が印加されると、サージアブソーバ２６の電流耐量を超えてサージアブソーバ２６が故障してしまう場合があるため、電流耐量の大きなサージアブソーバを使用する必要があった。そのため、サージアブソーバが大型化してコストアップとなっていた。
【０００５】
そこで、本発明はこのような問題点に鑑み、サージアブソーバを大型化することなく大きなサージ電圧に対処でき故障し難い漏電遮断器を提供することを目的としている。
【課題を解決するための手段】
【０００６】
上記課題を解決する為に、請求項１の発明は、単相３線から成る電路の２本の電圧線間に引き外しコイルとサイリスタの直列回路が接続され、電路に設けた零相変流器により漏電が検出されたら、サイリスタがオンして引き外しコイルが引き外し動作して電路に設けた接点が開動作して電源から遮断する漏電遮断器において、引き外しコイルとサイリスタの直列回路には、回路を保護するための電圧制限手段が並列に接続されて成り、電圧制限手段が、直列接続された２個のサージアブソーバであると共に、サイリスタには別途サージアブソーバが並列に接続されて成ることを特徴とする。
この構成によれば、電圧線間に配置された引き外しコイルとサイリスタの直列回路に設けられた電圧制限手段が直列接続された２個のサージアブソーバで構成されるため、サージアブソーバの耐圧を１個のみの場合に比べて２倍にできる。一方、耐圧が２倍になることで、サイリスタのブレーク電圧を超える電圧がサイリスタに印加される可能性がでてくるが、別途サージアブソーバをサイリスタに並列に接続することで、サイリスタの不要動作を防止できる。
【０００７】
請求項２の発明は、請求項１に記載の構成において、中性線の欠相が発生したら引き外しコイルを引き外し動作させる中性線欠相保護回路を有し、中性線欠相保護回路を機能させるための端子が、直列接続された２個のサージアブソーバの中間点に接続されてなることを特徴とする。
この構成によれば、電圧制限手段を構成する２個のサージアブソーバのうちの１つを中性線欠相保護回路の保護に使用でき、別途サージアブソーバを設ける必要がない。
【発明の効果】
【０００８】
本発明によれば、電圧線間に配置された引き外しコイルとサイリスタの直列回路に設けられた電圧制限手段が直列接続された２個のサージアブソーバで構成されるため、サージアブソーバの耐圧を１個のみの場合に比べて２倍にできる。一方、耐圧が２倍になることで、サイリスタのブレーク電圧を超える電圧がサイリスタに印加される可能性がでてくるが、別途サージアブソーバをサイリスタに並列に接続することで、サイリスタの不要動作を防止できる。
【図面の簡単な説明】
【０００９】
【図１】本発明に係る漏電遮断器の一例を示す回路図である。
【図２】従来の漏電遮断器の回路図である。
【発明を実施するための形態】
【００１０】
以下、本発明を具体化した実施の形態を、図面を参照して詳細に説明する。図１は本発明に係る漏電遮断器の一例を示す回路図であり、単相３線式電路に使用する漏電遮断器である。２本の電圧線Ｘ，Ｙ及び中性線Ｎから成る電路Ｌ１に対して零相変流器１が設けられ、その電源側に電路Ｌ１を電源から開放する接点２が設けられている。３は漏電が発生したら接点２を開操作する制御部であり、引き外しコイル４、ＩＣ化された漏電検出回路５等を有している。
【００１１】
引き外しコイル４にはサイリスタ７が直列に接続され、サイリスタ７は漏電検出回路５に制御され、漏電検出回路５が漏電発生を検出したらオン動作する。引き外しコイル４とサイリスタ７の直列回路は２本の電圧線Ｘ，Ｙ間に配置される。１２は電源側端子、１３は負荷側端子である。
【００１２】
また、引き外しコイル４とサイリスタ７の直列回路には、２個のサージアブソーバ（第１サージアブソーバ８ａ，第２サージアブソーバ８ｂ）から成る電圧制限手段８が並列に接続されている。ただし、２個のサージアブソーバ８は同一の特性を有し、直列接続されている。この結果、Ｘ−Ｙ間の耐圧が同一特性のサージアブソーバ１個に比べて２倍となっている。
更に、サイリスタ７にもサージアブソーバ（第３サージアブソーバ）９が並列に接続されている。この第３サージアブソーバ９は、サイリスタ７を保護すると共にサイリスタ７の不要動作を防止するために設けられている。
【００１３】
また、Ａは中性線Ｎの欠相を検出する中性線欠相検出回路であり、中性線Ｎに接続するための端子Ｍに接続されている。この端子Ｍは第１サージアブソーバ８ａと第２サージバブソーバ８ｂとの間に接続され、第２サージアブソーバ８ｂが端子Ｍの保護素子（中性線欠相検出回路Ａの保護素子）としても使用されている。端子Ｍを中性線Ｎに接続することで、中性線欠相保護回路Ａが能動となる。
【００１４】
上記の如く構成された漏電遮断器の動作は以下の様である。電路Ｌ１に漏電が発生すると、零相変流器１がそれを検出して電圧信号として漏電検出回路５に入力される。漏電検出回路５は、この電圧信号が所定値を超えたら漏電発生と判断してサイリスタ７をオンさせる。この結果、引き外しコイル４が通電されて引き外し動作し、接点２が開動作する。こうして電路Ｌ１が電源から遮断される。
また、外来サージが電路Ｌ１に侵入した場合は、上述したように第１サージアブソーバ８ａ，第２サージアブソーバ８ｂによりバイパスが形成されてサイリスタ７を含む回路を保護するし、第３サージアブソーバ９がサイリスタ７の誤動作（不要動作）を防止し、高電圧が印加されることがない。
【００１５】
このように、引き外しコイル４とサイリスタ７の直列回路に設けられた電圧制限手段が直列接続された２個のサージアブソーバ８ａ，８ｂで構成されるため、内部抵抗が２倍になり内部を流れるサージ電流は１個の場合の半分程度になる。従って、電圧線Ｘ，Ｙ間に１個のサージアブソーバのみ配置された場合に比べて耐圧を２倍にでき、大きなサージが印加されても故障し難くなる。
一方、耐圧が２倍になることで、サイリスタ７のブレーク電圧を超える電圧がサイリスタ７に印加される可能性が出て来るが、第３サージアブソーバ９をサイリスタ７に並列に接続することで、サイリスタ７の不要動作を防止できる。
更に、誤って過電圧（２００Ｖのところへ４００Ｖ）を印加してしまった場合、第３サージアブソーバ９が長時間（数〜十数ｍｓ）クリップ電流を流して引き外しコイル４を励磁でき、引き外し動作させることができる。この遮断動作により、過電圧が連続印加されなくなるため、故障し難い。
【００１６】
尚、サージ電圧が印加された場合も過電圧が印加された場合のように、第３サージアブソーバ９がサージ電圧をクリップした電流が引き外しコイル４に流れるが、サージ発生時間は通常非常に短く数十〜数μｓであるため、引き外しコイル４が機構部を動作させて接点を解離させるまでの時間がとれず、引き外し動作することはない。
また、第１〜第３サージアブソーバ８ａ，８ｂ，９は、従来の２００Ｖ電路に使用されている素子が使用できる。
【符号の説明】
【００１７】
１・・零相変流器、２・・接点、３・・制御部、４・・引き外しコイル、５・・漏電検出回路、７・・サイリスタ、８・・電圧制限手段、８ａ，８ｂ，９・・サージアブソーバ、Ａ・・中性線欠相検出回路、Ｌ１・・電路。
【図１】
2017091811.tif 000003
【図２】
2017091811.tif 000004